【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
バッテリ(１)からの駆動電流が通電されることでソレノイドバルブを作動させるソレノイドバルブコイル（３）と、
該ソレノイドバルブコイルの一端と前記バッテリ（１）との間に備えられる第１のスイッチ手段（２）、ソレノイドバルブコイルの他端とグランドとの間に備えられる第２のスイッチ手段（４）、及びバッテリと前記第１，第２のスイッチ手段とソレノイドバルブコイルとを各々に接続する複数の配線（９，１０，１１）を備え、ソレノイドバルブコイルに駆動電流を供給する給電系と、
ソレノイドバルブコイルの一端あるいは他端に接続され、前記駆動電流のソレノイドバルブコイルへの通電が遮断されると、微少なテスト電流をソレノイドバルブコイルに供給するテスト用電源系（２０，２１，２２）と、第１，第２のスイッチ手段の作動を制御するとともに、該作動状態に応じたソレノイドバルブコイルの一端あるいは他端のうち前記テスト用電源系とは異なる側の端部の電圧に基づいて前記給電系の異常を検出する検出手段（７）とを具備することを特徴とするソレノイドバルブの異常検出装置。
【請求項２】
請求項１記載のソレノイドバルブの異常検出装置において、検出手段はマイクロコンピュータであり、テスト用電源系は該マイクロコンピュータのデジタル出力ポート（Ｐ４）をテスト電流の供給源とすることを特徴とするソレノイドバルブの異常検出装置。
【請求項３】
バッテリ(１)からの駆動電流が通電されるとソレノイドバルブを作動させるソレノイドバルブコイル（３）と、ソレノイドバルブコイルの一端とバッテリ（１）との間に備えられる第１のスイッチ手段（２）、ソレノイドバルブコイルの他端とグランドとの間に備えられる第２のスイッチ手段（４）、及びバッテリと前記第１，第２のスイッチ手段とソレノイドバルブコイルとを各々に接続する複数の配線（９，１０，１１）を備え、ソレノイドバルブコイルに駆動電流を供給する給電系と、
ソレノイドバルブコイルの一端あるいは他端に接続され、前記駆動電流のソレノイドバルブコイルへの通電が遮断されると、微少なテスト電流をソレノイドバルブコイルに供給するテスト用電源系（２０，２１，２２）と、ソレノイドバルブコイルの一端の電圧と他端の電圧との差を増幅する差動増幅器（２４）と、第１，第２のスイッチ手段の作動を制御するとともに、差動増幅器の出力電圧に基づいて給電系の異常を検出する検出手段（７）とを具備することを特徴とするソレノイドバルブの異常検出装置。
【手続補正２】
【補正対象書類名】明細書
【補正対象項目名】０００３
【補正方法】変更
【補正の内容】
【０００３】
例えば、このようなソレノイドバルブの異常を検出する異常検出装置には、図６に示すような回路構成のものがある。この回路において、符号１は自動車のバッテリ、２はリレー（第１のスイッチ手段）、３はソレノイドバルブコイル、４はスイッチング用ＦＥＴ（電界効果型トランジスタ；第２のスイッチ手段）、５はリレー２を駆動するリレー駆動回路、６はスイッチング用ＦＥＴ４を駆動するＦＥＴ駆動回路、７はマイクロコンピュータ（検出手段）、８は抵抗分圧器、８ａ，８ｂは抵抗分圧器８を形成する高抵抗値の抵抗器、９はバッテリ電力供給ライン（配線）、１０はソレノイドバルブコイル接続ラインのうちの電力供給ライン（配線）、１１はソレノイドバルブコイル接続ラインのうちの接地ライン（配線）である。また、Ｐ１、Ｐ２はマイクロコンピュータ７のデジタル出力ポート、Ｐ３はマイクロコンピュータ７のデジタル入カポートである。


【手続補正３】
【補正対象書類名】明細書
【補正対象項目名】０００４
【補正方法】変更
【補正の内容】
【０００４】
バッテリ１のマイナス端子（他端）は接地され、プラス端子（一端）はバッテリ電力供給ライン９を介してリレー２に接続され、該リレー２の他端には電力供給ライン１０を介してソレノイドバルブコイル３が接続され、ソレノイドバルブコイル３の他端には接地ライン１１を介してスイッチング用ＦＥＴ４の例えばドレイン端子が接続され、さらにはスイッチング用ＦＥＴ４のソース端子は接地されている。すなわち、リレー２はソレノイドバルブコイル３の電力供給ライン１０側に接続されるとともに、スイッチング用ＦＥＴ４はソレノイドバルブコイル３の接地ライン１１側に接続され、リレー２とソレノイドバルブコイル３とスイッチング用ＦＥＴ４とからなる直列接続回路がバッテリ１の両端に接続されている。


【手続補正４】
【補正対象書類名】明細書
【補正対象項目名】００１７
【補正方法】変更
【補正の内容】
【００１７】
【課題を解決するための手段】
上記目的を達成するために、バッテリからの駆動電流が通電されることでソレノイドバルブを作動させるソレノイドバルブコイルと、該ソレノイドバルブコイルの一端と前記バッテリとの間に備えられる第１のスイッチ手段、ソレノイドバルブコイルの他端とグランドとの間に備えられる第２のスイッチ手段、及びバッテリと前記第１，第２のスイッチ手段とソレノイドバルブコイルとを各々に接続する複数の配線を備え、ソレノイドバルブコイルに駆動電流を供給する給電系と、ソレノイドバルブコイルの一端あるいは他端に接続され、前記駆動電流のソレノイドバルブコイルへの通電が遮断されると、微少なテスト電流をソレノイドバルブコイルに供給するテスト用電源系と、第１，第２のスイッチ手段の作動を制御するとともに、該作動状態に応じたソレノイドバルブコイルの一端あるいは他端のうち前記テスト用電源系とは異なる側の端部の電圧に基づいて前記給電系の異常を検出する検出手段とを具備する手段が採用される。また、上記手段において、検出手段はマイクロコンピュータであり、テスト用電源系は該マイクロコンピュータのデジタル出力ポートをテスト電流の供給源とするという手段が採用される。さらに、バッテリからの駆動電流が通電されるとソレノイドバルブを作動させるソレノイドバルブコイルと、ソレノイドバルブコイルの一端とバッテリとの間に備えられる第１のスイッチ手段、ソレノイドバルブコイルの他端とグランドとの間に備えられる第２のスイッチ手段、及びバッテリと前記第１，第２のスイッチ手段とソレノイドバルブコイルとを各々に接続する複数の配線を備え、ソレノイドバルブコイルに駆動電流を供給する給電系と、ソレノイドバルブコイルの一端あるいは他端に接続され、前記駆動電流のソレノイドバルブコイルへの通電が遮断されると、微少なテスト電流をソレノイドバルブコイルに供給するテスト用電源系と、ソレノイドバルブコイルの一端の電圧と他端の電圧との差を増幅する差動増幅器と、第１，第２のスイッチ手段の作動を制御するとともに、差動増幅器の出力電圧に基づいて給電系の異常を検出する検出手段とを具備するという手段が採用される。


【手続補正５】
【補正対象書類名】明細書
【補正対象項目名】００２１
【補正方法】変更
【補正の内容】
【００２１】
ここで、テスト用電源２０の出力電圧は、バッテリ１の出力電圧よりも小さな値に設定されているので、リレー２（第１のスイッチ手段）が閉じた状態においてソレノイドバルブコイル３の一端となる電力供給ライン１０（配線）にはバッテリ１の出力が供給されることになる。一方、リレー２が開放された状態においては、ダイオード２２が導通するので電力供給ライン１０にはテスト用電源２０の出力が供給され、この場合、電流制限用抵抗器２１が高抵抗値に設定されているためソレノイドバルブコイル３には、ソレノイドバルブが駆動されることのない微少なテスト電流が供給されることになる。


【手続補正６】
【補正対象書類名】明細書
【補正対象項目名】００２２
【補正方法】変更
【補正の内容】
【００２２】
上記構成の本実施形態において、バッテリ電力供給ライン９(配線)、リレー２、ソレノイドバルブコイル接統ラインの電力供給ライン１０と接地ライン１１(配線)、あるいはスイッチング用ＦＥＴ４（第２のスイッチ手段）が正常状態にある場合、マイクロコンピュータ７のアナログ入力ポートＰ６には以下のような信号が入力される。


【手続補正７】
【補正対象書類名】明細書
【補正対象項目名】００２４
【補正方法】変更
【補正の内容】
【００２４】
この場合、マイクロコンピュータ７のアナログ入力ポートＰ６には、概略してテスト用電源２０の出力電圧が電流制限用抵抗器２１と抵抗分圧器８の抵抗器８ａの直列抵抗値と抵抗器８ｂによって分圧された電圧の信号が入力される。なお、この状態では、電流制限用抵抗器２１、抵抗器８ａ、あるいは抵抗器８ｂが高抵抗値を有するので、ソレノイドバルブコイル３にはソレノイドバルブを駆動するのに十分な電流が通電されず、ソレノイドバルブは作動しない。


【手続補正８】
【補正対象書類名】明細書
【補正対象項目名】００２５
【補正方法】変更
【補正の内容】
【００２５】
また、マイクロコンピュータ７のデジタル出力ポートＰ１からの出力信号によりリレー２がオン状態（導通状態）とされると、電力供給ライン１０にはバッテリ１の出力電圧が供給される。そして、マイクロコンピュータ７のアナログ入力ポートＰ６には、バッテリ１の出力電圧が抵抗分圧器８によって分圧された電圧の信号が入力されることになる。なお、この場合においても、抵抗器８ａ，８ｂは高抵抗値を有するので、ソレノイドバルブは駆動されない。また、バッテリ１からテスト用電源２０への電流の流れはダイオード２２によって阻止される。


【手続補正９】
【補正対象書類名】明細書
【補正対象項目名】００２８
【補正方法】変更
【補正の内容】
【００２８】
次に、バッテリ電力供給ライン９、リレー２、ソレノイドバルブコイル接続ラインの電力供給ライン１０と接地ライン１１、あるいはスイッチング用ＦＥＴ４に短絡や接地等の異常が発生した場合には、以下のような電圧の信号がマイクロコンピュータ７のアナログ入力ポートＰ６に供給されることになる。


【手続補正１０】
【補正対象書類名】明細書
【補正対象項目名】００３０
【補正方法】変更
【補正の内容】
【００３０】
また、ＦＥＴ駆動回路６またはスイッチング用ＦＥＴ４の故障により該スイッチング用ＦＥＴ４がオン状態とならない異常が発生した場合には、マイクロコンピュータ７のデジタル出力ポートＰ１からの出力信号によってリレー２をオフ状態、デジタル出力ポートＰ１からの出力信号によってスイッチング用ＦＥＴ４をオン状態とする信号を出力しているにも係わらず、マイクロコンピュータ７のアナログ入力ポートＰ６には、テスト用電源２０の出力電圧が電流制限用抵抗器２１と抵抗分圧器８によって分圧された電圧の信号つまりゼロ電位ではない信号が入力される。


【手続補正１１】
【補正対象書類名】明細書
【補正対象項目名】００３２
【補正方法】変更
【補正の内容】
【００３２】
また、バッテリ電力供給ライン９の断線あるいはリレー駆動回路５またはリレー２の故障により該リレー２がオン状態とならないような異常が発生したときには、マイクロコンピュータ７がデジタル出力ポートＰ１からの出力信号によってリレー２をオン状態、またデジタル出力ポートＰ２からの出力信号によってスイッチング用ＦＥＴ４をオフ状態とする信号を出力しているにも係わらず、マイクロコンピュータ７のアナログ入力ポートＰ６には、テスト用電源２０の出力電圧が電流制限用抵抗器２１と抵抗分圧器８を形成する抵抗器８ａ，８ｂとによって分圧された電圧の信号が入力される。


【手続補正１２】
【補正対象書類名】明細書
【補正対象項目名】００３３
【補正方法】変更
【補正の内容】
【００３３】
上記のようにアナログ入力ポート６の電圧の信号を検出することによってマイクロコンピュータ７は、バッテリ電力供給ライン９またはリレー２に異常が発生したことを検出することができる。異常検出のためには、マイクロコンピュータ７のデジタル出力ポートＰ１からの出力信号によってリレー２をオン状態としてバッテリ１の出力を電力供給ライン１０に供給することになる。しかし、上記検出動作に基づいてリレー２をオン状態とするのを禁止することにより、リレー２をオン状態とすることで大電流が流れて各部品が損傷してしまうことを防止することができる。


【手続補正１３】
【補正対象書類名】明細書
【補正対象項目名】００３６
【補正方法】変更
【補正の内容】
【００３６】
このような構成においても、第１実施形態の構成と同様にテスト用電源系から供給される電流に基づいて、バッテリ電力供給ライン９、リレー２、電力供給ライン１０、接地ライン１１、あるいはスイッチング用ＦＥＴ４の異常を検出することができる。また、図示しない他の複数のソレノイドバルブについても上述した第１実施形態と同様な方法により異常検出を行なうことができる。


【手続補正１４】
【補正対象書類名】明細書
【補正対象項目名】図面の簡単な説明
【補正方法】変更
【補正の内容】
【図面の簡単な説明】
【図１】本発明に係わるソレノイドバルブの異常検出装置において、第１実施形態の構成を示す回路図である。
【図２】本発明に係わるソレノイドバルブの異常検出装置において、第２実施形態の構成を示す回路図である。
【図３】本発明に係わるソレノイドバルブの異常検出装置において、第３実施形態の構成を示す回路図である。
【図４】本発明に係わるソレノイドバルブの異常検出装置において、第４実施形態の構成を示す回路図である。
【図５】本発明に係わるソレノイドバルブの異常検出装置において、第５実施形態の構成を示す回路図である。
【図６】従来のソレノイドバルブの異常検出装置の構成を示す回路図である。
【符号の説明】
１……バッテリ
２……リレー（第１のスイッチ手段）
３……ソレノイドバルブコイル
４……スイッチング用ＦＥＴ（第２のスイッチ手段）
５……リレー駆動回路
６……ＦＥＴ駆動回路
７……マイクロコンピュータ（検出手段）
８……抵抗分圧器
８ａ，８ｂ，２４ｂ〜２４ｅ……抵抗器
９……バッテリ電力供給ライン（配線）
１０……電力供給ライン（配線）
１１……接地ライン（配線）
２０……テスト用電源（テスト用電源系）
２１……電流制限抵抗器（テスト用電源系）
２２……ダイオード
２４……差動増幅器
Ｐ１，Ｐ２……デジタル出力ポート
Ｐ４……デジタル出力ポート（テスト用電源系）
Ｐ３，Ｐ５……デジタル入カポート
Ｐ６……アナログ入カポート